(57)【要約】【要約】【課題】 印刷色を適切に自動的に設定して、カラー印刷を行うことができる印刷装置を提供することである。【解決手段】 印刷装置は、キー入力部１１、カートリッジ判別部１２、データ記憶部１３、表示制御部１４、表示部１５、印刷制御部１６、印刷部１７、制御部１８より構成される。使用者は、キー入力部１１から文字を入力するとともに、その文字に対して影付文字等の文字体の指定を行なう。このような入力文字を、印刷部１７にカラー印刷用の媒体がセットされている状態で印刷を行う場合、制御部１８は、カートリッジ判別部１２で判別されたラベルテープの色に基づいて、影付文字の文字部分と影部分の印刷色を自動的に設定する。印刷部１７は、制御部１８が設定した印刷色に従って文字をカラー印刷する。【選択図】      図１
2004195988.tif 000002
【特許請求の範囲】
【請求項１】
印刷媒体に印刷すべき文字を入力する文字入力手段と、
前記文字入力手段から入力された文字に対して、文字部分とその文字部分の付加部分で構成される所定の文字体を指定する文字体指定手段と、
前記文字入力手段から入力され前記文字体指定手段によって指定された文字の文字部分及びその付加部分のそれぞれについて、前記印刷媒体の色に基づいて前記印刷媒体の色とは異なる所定の印刷色を設定する印刷色設定手段と、
前記印刷色設定手段によって設定された印刷色により前記文字入力手段から入力された文字を前記文字体指定手段によって指定された文字体で前記印刷媒体に印刷する印刷手段と、
を備えることを特徴とする印刷装置。
【請求項２】
前記印刷色設定手段は、予め定められた印刷媒体の色に基づいて前記文字部分及びその付加部分の印刷色を求める手段を備えることを特徴とする請求項１に記載の印刷装置。
【請求項３】
前記印刷色設定手段は、前記印刷媒体の色を判別する判別手段と、前記判別手段により判別された色に基づいて前記文字部分及びその付加部分の印刷色を求める手段とを備えることを特徴とする請求項１に記載の印刷装置。
【請求項４】
前記文字体指定手段は、前記所定の文字体として、文字部分に付加部分として影部分が付された影付文字の指定が可能に構成されていることを特徴とする請求項１ないし３に記載の印刷装置。
【請求項５】
前記文字体指定手段は、前記所定の文字体として、文字部分としての文字の中抜き部分に付加部分としての輪郭部分が付された中抜き文字の指定が可能に構成されていることを特徴とする請求項１ないし３に記載の印刷装置。
【請求項６】
印刷媒体に印刷すべき文字を入力する文字入力手段と、
前記文字入力手段から入力された文字に対して、文字部分とその文字部分の付加部分で構成される所定の文字体を指定する文字体指定手段と、
前記印刷媒体の下地、前記文字体指定手段によって指定された文字体の文字部分又はその付加部分のいずれか１つの印刷色を指定する印刷色指定手段と、
前記印刷色指定手段により印刷色が指定されない他の部分について、前記指定された印刷色とは異なる所定の印刷色を設定する印刷色設定手段と、
前記印刷色指定手段によって指定された印刷色及び前記印刷色設定手段によって設定された印刷色により、前記文字入力手段から入力され前記文字体指定手段によって文字体が指定された文字及び前記印刷媒体の下地の印刷を行なう印刷手段と、
を備えることを特徴とする印刷装置。
【請求項７】
前記文字体指定手段は、前記所定の文字体として、文字部分に付加部分として影部分が付された影付文字の指定が可能に構成されていることを特徴とする請求項６に記載の印刷装置。
【請求項８】
前記文字体指定手段は、前記所定の文字体として、文字部分としての文字の中抜き部分に付加部分としての輪郭部分が付された中抜き文字の指定が可能に構成されていることを特徴とする請求項６に記載の印刷装置。
【請求項９】
前記印刷手段は、ラベル形成用のテープ状印刷媒体に印刷を行なう手段を含むことを特徴とする請求項１ないし８に記載の印刷装置。
【発明の詳細な説明】
【技術分野】
【０００１】
この発明は、カラー印刷が可能な印刷装置に関し、特に、簡単な操作で適切なカラー印刷が可能な印刷装置に関する。
【背景技術】
【０００２】
文書を作成する場合に、その文書を構成する明朝体やゴシック体などの文字を強調するため、その文字に陰影を付けて影付文字として印刷することが行なわれている。特開昭６３−２８６３５２号公報に記載される印刷装置は、カラー印刷が可能な印刷装置であって、影付文字の文字部分の印刷色を指定すると、影付文字の影部分の印刷色が文字部分の印刷色とは異なる色に選択されて印刷を行なうものである。
【０００３】
この印刷装置によれば、影付文字の文字部分及び影部分の色の指定が容易であり、これら２つの部分が互いに同じ色で印刷されることが完全になくなる。
【０００４】
また、文字等の印刷対象データを入力し、テープ状の印刷媒体に印刷することによりラベルを作成するラベル印刷装置が知られている。このラベル印刷装置は、ラベルテープとインクテープを収納したテープカートリッジを装着し、ラベルテープにインクテープのインクを転写することによりラベルを作成している。
【０００５】
このラベル印刷装置にカラー印刷機能を備え、前記印刷装置の影付文字の印刷技術を適用して文書の印刷を行なうとすると、ラベルテープには種々の色があるため、前記印刷装置の影付文字の印刷技術を用いて影付文字の文字部分と影部分とを異なる色で印刷したとしても、影付文字の文字部分あるいは影部分がラベルテープの下地の色と同一になって影付文字が認識できなくなる虞がある。
【０００６】
そこで、ユーザが文字の各部分やラベルテープの配色に配慮してそれらの印刷色を注意深く指定すれば、文字とラベルテープの色とが同一になるという不都合は解消するかもしれないが、その作業が面倒である。特に、この種のラベル印刷装置はその性格上、持ち運びが容易なように小型軽量で、且つ、価格が高くないことが望まれる。このため、通常のワードプロセッサ等と異なり、表示部を大画面のカラー表示装置で構成することは困難である。このような事情の上で、印字色をユーザに細かく指定させると、設定を表示画面上で確認することが困難であり、色指定動作が複雑でわかりにくくなる。このため、思い通りの配色のラベルの作成が困難であり、場合によっては、文字と下地を同じ色に指定してしまい、文字が読めないラベルが作成されるなどの失敗につながる場合がある。
【特許文献１】特開昭６３−２８６３５２号公報
【発明の開示】
【発明が解決しようとする課題】
【０００７】
この発明は、上記実状に鑑みてなされたもので、印刷対象の文字を入力する際に印刷色の指定を行わなくても、適切な色で所定の文字体の文字を印刷することができ、また、所定の文字体及びそれが印刷される印刷媒体の下地の印刷色の全てを細かく指定しなくとも、所定の文字体の文字及びその文字が印刷される印刷媒体の下地を適切な色でカラー印刷することができる印刷装置を提供することを目的とする。
【課題を解決するための手段】
【０００８】
請求項１の発明は、印刷媒体に印刷すべき文字を入力する文字入力手段と、前記文字入力手段から入力された文字に対して、文字部分とその文字部分の付加部分で構成される所定の文字体を指定する文字体指定手段と、前記文字入力手段から入力され前記文字体指定手段によって指定された文字の文字部分及びその付加部分のそれぞれについて、前記印刷媒体の色に基づいて前記印刷媒体の色とは異なる所定の印刷色を設定する印刷色設定手段と、前記印刷色設定手段によって設定された印刷色により前記文字入力手段から入力された文字を前記文字体指定手段によって指定された文字体で前記印刷媒体に印刷する印刷手段とを備えることを特徴としている。
【０００９】
請求項２の発明は、請求項１の発明において、前記印刷色設定手段は、予め定められた印刷媒体の色に基づいて前記文字部分及びその付加部分の印刷色を求める手段を備えることを特徴としている。
【００１０】
請求項３の発明は、請求項１の発明において、前記印刷色設定手段は、前記印刷媒体の色を判別する判別手段と、前記判別手段により判別された色に基づいて前記文字部分及びその付加部分の印刷色を求める手段とを備えることを特徴としている。
【００１１】
請求項４の発明は、請求項１ないし３の発明において、前記文字体指定手段は、前記所定の文字体として、文字部分に付加部分として影部分が付された影付文字の指定が可能に構成されていることを特徴としている。
【００１２】
請求項５の発明は、請求項１ないし３の発明において、前記文字体指定手段は、前記所定の文字体として、文字部分としての文字の中抜き部分に付加部分としての輪郭部分が付された中抜き文字の指定が可能に構成されていることを特徴としている。
【００１３】
請求項６の発明は、印刷媒体に印刷すべき文字を入力する文字入力手段と、前記文字入力手段から入力された文字に対して、文字部分とその文字部分の付加部分で構成される所定の文字体を指定する文字体指定手段と、前記印刷媒体の下地、前記文字体指定手段によって指定された文字体の文字部分又はその付加部分のいずれか１つの印刷色を指定する印刷色指定手段と、前記印刷色指定手段により印刷色が指定されない他の部分について、前記指定された印刷色とは異なる所定の印刷色を設定する印刷色設定手段と、前記印刷色指定手段によって指定された印刷色及び前記印刷色設定手段によって設定された印刷色により、前記文字入力手段から入力され前記文字体指定手段によって文字体が指定された文字及び前記印刷媒体の下地の印刷を行なう印刷手段とを備えることを特徴としている。
【００１４】
請求項７の発明は、請求項６の発明において、前記文字体指定手段は、前記所定の文字体として、文字部分に付加部分として影部分が付された影付文字の指定が可能に構成されていることを特徴としている。
【００１５】
請求項８の発明は、請求項６の発明において、前記文字体指定手段は、前記所定の文字体として、文字部分としての文字の中抜き部分に付加部分としての輪郭部分が付された中抜き文字の指定が可能に構成されていることを特徴としている。
【００１６】
請求項９の発明は、請求項１ないし８の発明において、前記印刷手段は、ラベル形成用のテープ状印刷媒体に印刷を行なう手段を含むことを特徴としている。
【発明の効果】
【００１７】
請求項１の発明によれば、所定の文字体が指定された文字の文字部分とその文字部分の付加部分の印刷色が印刷媒体の色に基づいて、その印刷媒体の色とは異なる所定の印刷色に設定されて印刷媒体に文字が印刷されるため、印刷対象の文字を入力する際に印刷色の指定を行わなくても、適切な色で所定の文字体を印刷媒体に印刷することができる。そして、所定の文字体の文字部分と付加部分とは印刷媒体の色とは異なる印刷色で印刷されるため、これらの部分が印刷媒体の色と同じ色で印刷される不都合をなくすることができる。
【００１８】
請求項２の発明によれば、所定の文字体の文字部分及び付加部分の印刷色を設定する印刷色設定手段は、予め定められた印刷媒体の色に基づいて所定の文字体の文字部分及び付加部分の印刷色を求める手段によって構成することができる。
【００１９】
請求項３の発明によれば、所定の文字体の文字部分及び付加部分の印刷色を設定する印刷色設定手段は、印刷媒体の色を判別する判別手段と、この判別手段により判別された色に基づいて所定の文字体の文字部分及び付加部分の印刷色を求める手段によって構成することができる。
【００２０】
請求項４の発明によれば、文字体指定手段は、所定の文字体として影付文字の指定が可能であり、従って、この影付文字の文字部分と影部分の印刷色の指定がなくとも、印刷媒体の色に基づいてその文字部分と影部分の印刷色を設定することができる。
【００２１】
請求項５の発明によれば、文字体指定手段は、所定の文字体として中抜き文字の指定が可能であり、従って、この中抜き文字の中抜き部分と輪郭部分の印刷色の指定がなくとも、印刷媒体の色に基づいてその中抜き部分と輪郭部分の印刷色を設定することができる。
【００２２】
請求項６の発明によれば、所定の文字体の文字部分、その文字部分の付加部分及びその文字体の文字が印刷される印刷媒体の下地の印刷色の全ての指定を行なわなくとも、所定の文字体の文字及びその文字が印刷される印刷媒体の下地をカラー印刷することができる。そして、所定の文字体の文字部分、付加部分及び印刷媒体の下地の各印刷色が異なる色で印刷されるため、これらの部分が印刷媒体の色と同じ色で印刷される不都合をなくすることができる。
【００２３】
請求項７の発明によれば、文字体指定手段としては、所定の文字体として影付文字の指定が可能であり、従って、この影付文字のカラー印刷に請求項６の発明の技術を適用することができる。
【００２４】
請求項８の発明によれば、文字体指定手段は、所定の文字体として中抜き文字の指定が可能であり、従って、この中抜き文字のカラー印刷に請求項６の発明の技術を適用することができる。
【００２５】
請求項９の発明によれば、請求項１ないし８の発明の技術を、テープ状印刷媒体に文字を印刷してラベルを作成する場合に適用することができる。
【発明を実施するための最良の形態】
【００２６】
以下、図面を参照してこの発明の実施の形態にかかる印刷装置を、ラベル状の印刷媒体に任意の文字、記号等を印刷するラベル印刷装置を例に説明する。
【００２７】
（第１の実施の形態）
図１は、この発明の第１の実施の形態のラベル印刷装置の構成図である。この実施の形態のラベル印刷装置は、キー入力部１１、カートリッジ判別部１２、データ記憶部１３、表示制御部１４、表示部１５、印刷制御部１６、印刷部１７、制御部１８より構成される。
【００２８】
キー入力部１１は、印刷する文字、記号等の情報を入力するためのものであり、文字キー１１ａ、文字体指定キー１１ｂ、印刷キー１１ｃ、印刷色指定キー１１ｄ等を備える。文字キー１１ａはひらがなキー、アルファベットキー、テンキー等を含み、文字、記号、数字等の印刷対象データを入力するためのキーである。文字体指定キー１１ｂは入力された文字等を印刷する際の形式、即ち、文字体を指定するためのキーである。この実施の形態では、文字体としては、図２（Ａ）に示すような標準文字、図２（Ｂ）に示すように文字の中心部がくり抜かれた中抜き文字、図２（Ｃ）に示すように文字に影を付した影付文字等を指定できるものとする。印刷キー１１ｃは印刷開始を指示するキーである。また、印刷色指定キー１１ｄは印刷時の色を指定するためのキーである。
【００２９】
カートリッジ判別部１２は、このラベル印刷装置に装着されたテープカートリッジの種類を判別し、判別結果を示す信号を制御部１８に供給する。
テープカートリッジは、図３（Ａ）に示すように、印刷媒体であるラベルテープ３２とインクテープ３３を収納し、インクテープ３３のインクをラベルテープ３２に転写して印刷するものである。ラベルテープ３２は裏面に接着材が塗布され、接着材は剥離紙により保護されている。
【００３０】
この実施の形態では、テープカートリッジ３１として単色印刷用のインクテープ３３を収納したモノクロ印刷用テープカートリッジとカラー印刷用のインクテープ３３を収納したカラー印刷用のテープカートリッジが用意されている。以下、モノクロ用とカラー用とを区別する必要がない場合には、テープカートリッジ３１とし、区別する必要がある場合には、３１Ｍ又は３１Ｃの符号を付す。
【００３１】
モノクロ印刷用のテープカートリッジ３１Ｍに収納されたラベルテープ３２は白又は赤色であり、カラー印刷用のテープカートリッジ３１Ｃに収納されたラベルテープ３２は白色である。カラー印刷用のインクテープ３３は、図３（Ｂ）に示すように、Ｙ（黄色）、Ｍ（マゼンタ）、Ｃ（シアン）のインクの領域が順次配置されており、これら３色のインクの組み合わせにより多色印刷を可能とする。
【００３２】
データ記憶部１３は、キー入力部１１より入力されたデータ、制御部１８により設定されたデータを記憶する。
【００３３】
表示部１５は、液晶表示装置等から構成され、印刷対象データ等を表示する。表示制御部１４は、制御部１８の制御下に表示部１５を制御し、データを表示させる。
【００３４】
印刷部１７は、前述のテープカートリッジ３１を装着するカートリッジ装着部４１（後述する図４参照）、インクテープ３３上のインクを溶融してラベルテープ３２に転写するためのサーマルヘッド、インクテープ３３とラベルテープ３２を搬送するためのテープ搬送機構等を備え、印刷制御部１６の制御に従って、印刷対象データを印刷する。
印刷制御部１６は、印刷部１７を制御して制御部１８から供給された印刷対象データを印刷させるものであり、印刷パターン（ドットパターン）を展開するための印刷パターンメモリ１６ａを備える。制御部１８は、マイクロプロセッサ等から構成され、印刷装置全体の動作、例えば、文字入力動作、文字体指定動作、印刷動作、表示動作等を制御する。
【００３５】
次に、カートリッジ判別部１２によるテープカートリッジ３１の種類の判別方法を図４及び図５を参照して具体的に説明する。
テープカートリッジ３１をラベル印刷装置に配置されたカートリッジ装着部４１に装着し、蓋４２を閉じた状態では、図４（Ａ）、（Ｂ）に示すように、テープカートリッジ３１はバネ４３により付勢され、スイッチＳＷ１が押されてオンする。モノクロ印刷用のテープカートリッジの場合、図４（Ａ）に示すようにスイッチＳＷ２も押されてオンする。これに対し、カラー印刷用のテープカートリッジには、図４（Ｂ）に示すようにスイッチＳＷ２を避ける窪み部３４が形成されており、スイッチＳＷ２はオフ状態を維持する。
従って、スイッチＳＷ１とＳＷ２のオン・オフをデコードすることにより、図５に示すように、テープカートリッジ３１の装着の有無、及び、装着されたテープカートリッジ３１がモノクロ印刷用であるかカラー印刷用であるかを判別することができる。
【００３６】
次に、この実施の形態のラベル印刷装置のカラー印刷の印刷色について説明する。
この実施の形態では、カラー印刷の印刷色は図６に示す白、橙、赤、紫、黒、青、緑、黄色の８色、即ち、三原色とその中間色及び白、黒である。図６は、白と黒を除く隣接する色同士が同系色の関係となるようにこれらの色を配置した図である。図６において、対向する色は反対色の関係である。
これらの色には図７に示すように０から７までの番号が付されており、±１の関係にある番号の色は同系色であり、±４の関係にある番号の色は反対色となる。
なお、色は８色に限定されず９色以上の色を使用できることは言うまでもない。また、色の番号も変更可能である。
【００３７】
次に、上記構成のラベル印刷装置の動作を説明する。
上記構成のラベル印刷装置では、テープカートリッジ３１を取り替えることが可能であり、文字等の印刷対象データに印刷色が設定されていない場合に、テープカートリッジをモノクロ用に取り替えて印刷をさせること或いは印刷対象データを一色で印刷することも可能である。
しかし、従来技術の欄で説明したように、このような手法は非効率的であり、また、多彩色による印象深いラベルの作成を困難とする。
【００３８】
そこで、この実施の形態では、印刷色が指定されていない印刷対象データをカラー印刷する場合には、予め定められた基準に従って適切な色を設定して印刷し、効率よく多彩色による印象深いラベルを作成する。
【００３９】
次に、図８のフローチャートを参照して印刷対象の文字等を入力する方法を説明する。
まず、使用者は、キー入力部１１の文字キー１１ａを操作して、印刷対象データとして印刷したい文字（記号、絵文字、外字等を含む）等を入力する（ステップＳ１）。入力された印刷対象データは制御部１８を介してデータ記憶部１３に順次記憶される。
【００４０】
次に、使用者は、キー入力部１１の文字体指定キー１１ｂを操作して、入力した文字の文字体を指定する（ステップＳ２）。指定された文字体を示す文字体データは制御部１８を介してデータ記憶部１３に記憶される。
【００４１】
続いて、制御部１８は、装着されているテープカートリッジ３１がモノクロ印刷用であるかカラー印刷用であるかを、カートリッジ判別部１２からの信号に従って判別する（ステップＳ３）。
カラー印刷用テープカートリッジ３１Ｃが装着されている場合、制御部１８は、印刷パターンの各部の印刷色を指定するための印刷色設定画面を表示させる。この画面表示に従って、使用者は各文字の印刷色を印刷色指定キー１１ｄを操作して指定する。
【００４２】
例えば、使用者は、下地の色（ラベルテープ３２の色（図では「ラベル色」と表す））、さらに、印刷対象データの文字体として、（１）標準文字が設定されている場合には文字部分の色、（２）中抜き文字が指定されている場合には、文字の輪郭部分の色（図では「輪郭色」と表す）、中抜き部分の色（図では「中抜き色」と表す）、（３）影付文字の場合には、文字部分の色及び影の部分の色（図では「影付色」と表す）等を指定する（ステップＳ４）。
制御部１８は指定された印刷色を示す印刷色データをデータ記憶部１３に記憶させる。
【００４３】
一方、装着されたテープカートリッジ３１がモノクロ印刷用の場合、印刷色の指定等の処理は行わない。
【００４４】
次に、入力処理が終了したか否かを判断し（ステップＳ５）、終了していないと判断すると、ステップＳ１の処理にもどり、入力処理を続行する
【００４５】
次に、図９のフローチャートを参照して、印刷動作を説明する。
文字の入力が完了し、入力文字を印刷する場合には、使用者はキー入力部１１の印刷キー１１ｃを押す。
【００４６】
このキー操作に応答して、制御部１８は図９に示す印刷処理を開始する。
まず、制御部１８は、カートリッジ判別部１２からの信号により、テープカートリッジ３１が装着されているか否かを判別する（ステップＳ１１）。
テープカートリッジが装着されていない場合にはテープカートリッジ３１を装着すべき旨のメッセージを表示制御部１４を介して表示部１５に表示させ（ステップＳ１２）、印刷処理を終了する。
【００４７】
テープカートリッジ３１が装着されている場合は、制御部１８は、文字データがデータ記憶部１３に記憶されているか否か判断する（ステップＳ１３）。
【００４８】
文字データがデータ記憶部１３に記憶されていない場合は、制御部１８は印刷無効の処理を行い（ステップＳ１４）、印刷動作を終了する。
【００４９】
文字データがデータ記憶部１３に記憶されている場合は、制御部１８は、カートリッジ判別部１２からの信号に従って、装着されているテープカートリッジ３１がモノクロ印刷用であるかカラー印刷用であるかを判別する（ステップＳ１５）。
【００５０】
装着されたテープカートリッジ３１がモノクロ印刷用の場合、印刷色が設定されているか否かにかかわらず、制御部１８は印刷制御部１６を介して印刷部１７を制御して、文字データを単色（装着されているテープカートリッジ３１内のインクテープ３３の色）で印刷する（ステップＳ１６）。
【００５１】
装着されたテープカートリッジ３１がカラー印刷用の場合、制御部１８はデータ記憶部１３に記憶された印刷色データから文字データの印刷色が指定がされているか否かを判別する（ステップＳ１７）。印刷色が指定されている場合には、指定された色に従い文字データを印刷する（ステップＳ１８）。
【００５２】
印刷色が指定されていない場合、制御部１８は、印刷色を設定するために、文字番号ｎを１として、ｎ番目の文字体データをデータ記憶部１３から読み出し（ステップＳ１９）、この読み出された文字体データに対応する文字体が標準文字か否かを判断する（ステップＳ２０）。
【００５３】
文字体データが標準文字を示す場合、制御部１８は次のようにして文字の印刷色を決定する。
【００５４】
まず、ラベルテープ３２の下地部分の色をＣ（０〜７）番の色に、文字部分の色を（Ｃ＋４）番の色に設定する（ステップＳ２１）。前述のように、カラー印刷用のラベルテープ３２の下地部分の色は白（０番）に固定されているので、図１０（Ａ）に示すように、文字部分の色は黒（４番）に設定される。
なお、色番号が８以上になる場合は、８を減算した番号の色に設定する。制御部１８は設定した印刷色を示す印刷色データをデータ記憶部１３に格納する。
【００５５】
文字体データが標準文字以外の文字体を指示する場合は、制御部１８は文字体が中抜き文字か否かを判断する（ステップＳ２４）。
【００５６】
文字体が中抜き文字の場合、制御部１８は次のようにして印刷色を設定する。中抜き文字はその構成上、中抜き部分と輪郭部分とに分けられる。制御部１８は、ラベルテープ３２の下地部分の色をＣ（０〜７）番目の色とすると、中抜き部分の色を（Ｃ＋２）番の色に設定し、輪郭部分の色を（Ｃ＋４）番の色に設定する（ステップＳ２５）。
この実施の形態では、カラー印刷用のラベルテープ３２の下地部分の色が白（０番）であるので、図１０（Ｂ）に示すように、中抜き部分の色は赤（２番）、輪郭部分の色は黒（４番）に設定される。制御部１８は設定した印刷色を示す印刷色データをデータ記憶部１３に格納する。
【００５７】
ステップＳ２４の判断で、文字体が中抜き文字でないと判断した場合、制御部１８は文字体が影付文字か否か判断する（ステップＳ２６）。
【００５８】
文字体が影付文字である場合、制御部１８は次のようにして印刷色を設定する。影付文字はその構成上、文字部分と影部分とに分けられる。ラベルテープ３２の下地部分の色をＣ（０〜７）番の色とすると、文字部分の色は（Ｃ＋２）番の色に設定され、影付部分の色は（Ｃ＋４）番の色に設定される（ステップＳ２７）。
この実施の形態では、カラー印刷用のラベルテープ３２の下地部分の色が白（０番）であるので、図１０（Ｃ）に示すように、文字部分の色は赤（２番）、影部分の色は黒（４番）に設定される。制御部１８は設定した印刷色を示す印刷色データをデータ記憶部１３に格納する。
【００５９】
またステップＳ２６で、文字体が影付文字ではないと判断した場合、制御部１８はその他の処理を行う（ステップＳ２８）。
【００６０】
ステップＳ２１、Ｓ２５、Ｓ２７、Ｓ２８の処理が終了すると、制御部１８は、文字番号ｎが最後の文字番号Ｎに一致するか否か、即ち、全ての文字データについて印刷色の設定が終了したか否かを判断する（ステップＳ２２）。
処理が終了していない場合、文字番号を更新して文字体データを読み出し（ステップＳ２３）、ステップＳ２０の判断処理にリターンする。
【００６１】
ステップＳ２２の判断で、全ての文字データについて印刷色の設定が終了したと判断すると、制御部１８は、データ記憶部１３から印刷対象の文字データ、文字体データ等を読み出し、読み出したデータを印刷制御部１６に供給する。印刷制御部１６は供給されたデータに従って、Ｙ（黄色）の印刷ドットパターンを印刷パターンメモリ１６ａに展開し、インクテープ３３のＹのインクを用いてラベルテープ３２にＹのパターンを印刷する。
続いて、印刷制御部１６はＭ（マゼンタ）用の印刷ドットパターンを印刷パターンメモリ１６ａに展開すると共にラベルテープ３２を巻き戻し、インクテープ３３のＭのインクを用いてラベルテープ３２にＹのパターンに重ねてＭのパターンを印刷する。
印刷制御部１６はＣ（シアン）についても同様にして重ね印刷を行う。
以上により、印刷動作（ステップＳ２９）を終了する。
【００６２】
以上説明したように、第１の実施の形態のラベル印刷装置によれば、使用者が印刷色を指定しないで文字等を入力し、カラー印刷用のテープカートリッジ３１Ｃが装着された状態で印刷を指示した場合に、印刷装置が印刷色を決定してカラー印刷を行う。従って、印刷色を逐一指定しなくても、カラーラベルを作成することができる。
また、テープカートリッジを交換させたりする必要もなく、効率よく印刷を行うことができる。また、使用者が印刷色を指定すれば、指定した色で印刷することができ、使用者の好みに合ったラベルを作成することができる。
【００６３】
なお、上記説明では、カラー印刷用テープカートリッジ３１Ｃに収納されたラベルテープ３２の色を白に固定したが、複数色、例えば、白、黄色及び赤色のラベルテープ３２を収納したカラー印刷用テープカートリッジ３１Ｃを用意し、任意に選択できるようにしてもよい。
【００６４】
例えば、黄色のラベルテープ３２を使用し、文字体として中抜き文字が設定されている場合、輪郭部の色は紫（（７＋４−８）番の色）、中抜き部分の色は橙（（７＋２−８）番の色）となる。
この場合、テープカートリッジ３１に装着されているラベルテープ３２の下地部分の色を判別する必要があるが、これは、図４と図５に示したカートリッジ判別機構と同様の機構により実現できる。
また、以上の説明では、印刷パターンの各部の印刷色を自動設定する例を示したが、文字以外、例えば、網掛け、下線、枠等の文字の装飾パターンの印刷色を、ラベルテープの下地部分の色や文字部分の色に基づいて設定するようにしてもよい。例えば、ラベル色あるいは文字色がＣの場合に、装飾部分の印刷色を（Ｃ＋６）番の色に設定する。
【００６５】
図８では、文字の入力、文字体の指定、印刷色の指定の順で入力処理を行う例を示したが、例えば、文字体毎に印刷パターンの各部の色を予め設定しておき、入力処理は文字の入力のみを行うようにしてもよい。
また、印刷色の指定のない文字をカラー印刷用のテープカートリッジを用いて印刷する場合、テープカートリッジを単色印刷用のテープカートリッジに取り換えるか、全て黒で印刷するか、印刷色を自動設定するかを問い合わせる画面を表示部１５に表示させ、使用者の選択に応じて処理を選択して実行するようにしてもよい。
【００６６】
（第２の実施の形態）
第１の実施の形態ではラベルテープの下地部分の色に合わせて文字部分の色等を自動的に設定したが、使用者がラベルテープの下地部分の色又は文字部分の色を指定して、その色に合わせて印刷装置がその他の印刷部分の色を設定してカラー印刷を行うようにしてもよい。このような動作を行う第２の実施の形態のラベル印刷装置を以下に説明する。
【００６７】
なお、この実施の形態のラベル印刷装置の回路構成、入力処理、印刷処理の基本部分は第１の実施の形態と同一である。そこで、特徴部分を中心に説明する。
第１の実施の形態の図９のステップＳ１７で、印刷対象データに印刷色の指定がないと判断された場合、この第２実施の形態では、図１１に示すように、制御部１８は、ラベルテープの下地部分の色を指定するか、文字部分の色を指定するかを問い合わせる画面を表示制御部１４を介して表示部１５に表示する（ステップＳ３１）。
この表示に従って、使用者がキー入力部１１からいずれかを指定すると、制御部１８は指定内容を判別する（ステップＳ３２）。
【００６８】
ラベルテープ３２の下地部分の色を指定する場合、使用者はキー入力部１１から印刷色指定キー１１ｄにより任意の色（番号Ｃ）を入力する（ステップＳ３３）。
制御部１８は、指定された印刷色を示す印刷色データをデータ記憶部１３に記憶させると共に印刷色設定用のフラグＦをリセット（Ｆ＝０）する。
【００６９】
文字部分の色を指定する場合も、使用者はキー入力部１１から印刷色指定キー１１ｄにより指定したい色（番号Ｃ）を入力する（ステップＳ３４）。
制御部１８は、指定された印刷色を示す印刷色データをデータ記憶部１３に記憶させると共にフラグＦをセットする。
【００７０】
ステップＳ３３、Ｓ３４の処理が終了すると、制御部１８は、最初の文字をデータ記憶部１３より読み出して（ステップＳ３５）、その文字に対して指定されている文字体が標準文字か否か判断する（ステップＳ３６）。
【００７１】
文字体が標準文字の場合、制御部１８はＦ＝０か否か判断する（ステップＳ３７）。
Ｆ＝０ならば、制御部１８はデータ記憶部１３に記憶されたラベルテープ３２の下地部分の色番号Ｃを読み出し、文字部分の色を（Ｃ＋４）番の色に設定する（ステップＳ３８）。一方、Ｆ＝１ならば、制御部１８は、データ記憶部１３に記憶された標準文字の色番号Ｃを読み出し、ラベルテープ３２の下地部分の色を（Ｃ＋４）番の色に設定する（ステップＳ３９）。
ステップＳ３８、Ｓ３９の処理が終了すると、制御部１８は全ての文字について処理が終了したか否か判別する（ステップＳ４０）。処理が終了していなければ、文字番号ｎを更新し（ステップＳ４１）、ステップＳ３６の判断処理にリターンする。
【００７２】
一方、ステップＳ３６で文字体が標準文字以外であると判断された場合、制御部１８は、文字体は中抜き文字か否か判断する（ステップＳ４２）。
【００７３】
文字体が中抜き文字の場合、制御部１８はＦ＝０か否か判断する（ステップＳ４４）。
Ｆ＝０の場合、制御部１８はデータ記憶部１３に記憶されたラベルテープ３２の下地部分の色番号Ｃを読み出し、文字の中抜き部分を（Ｃ＋２）番の色に、文字の輪郭部分を（Ｃ＋４）番の色に設定する（ステップＳ４５）。
一方、Ｆ＝１の場合、制御部１８はデータ記憶部１３に記憶された文字の色番号Ｃを読み出し、中抜き部分の色を（Ｃ＋２）番の色に、ラベルテープの下地部分の色を（Ｃ＋４）番の色に設定する（ステップＳ４６）。
【００７４】
ステップＳ４５、Ｓ４６の処理が終了すると、前述のステップＳ４０の判別処理に進む。
【００７５】
図１１では省略するが、文字体が影付文字であると判断された場合も上述の処理（ステップＳ４２）と同様に、フラグＦの値に応じて色の設定を行う（ステップＳ４３）。
【００７６】
以上説明したように、第２の実施の形態では、印刷時にラベルテープ３２の下地部分の色又は文字部分の色を指定できるので、使用者の好みに合わせて第１の実施の形態よりも多彩な色のラベルを作成できる。
図１２（Ａ）〜（Ｃ）は、標準文字、中抜き文字、影付文字をそれぞれ指定し、図１１のステップＳ３２でラベルテープ３２の下地部分の色指定を選択し、ステップＳ３３でそれの色を赤（２番の色）に設定した場合に作成されるラベルの例を示す。
【００７７】
なお、この発明は上記実施の形態に限定されず、種々の変形及び応用が可能である。
例えば、図１０（Ｂ）及び（Ｃ）に示すように、中抜き文字と影付文字では、実質的に同一の色の組み合わせを使用したが、異なった色の組み合わせを使用してもよい。例えば、第１の実施の形態の図９のステップＳ２５での印刷色の指定はそのままとし、ステップＳ２７の処理において、文字部分を（Ｃ＋３）番の色に、影の部分を（Ｃ＋５）番の色に設定してもよい。この場合、例えば、ラベルの色を白とすると、中抜き文字の輪郭は黒、中抜き部分は赤となり、一方、影付文字の文字部分は紫、影の部分は青となる。
このように、文字体毎に、印刷パターンの各部の色の設定を違えることにより、異なった文字体をさまざまな色で表現できる。
【００７８】
また、この発明は使用者が誤った印刷色の組み合わせを指定した場合等にも適用可能である。
例えば、文字体として標準文字を指定している場合に、図８のステップＳ４で文字部分の色とラベルの色（下地の色）を共に赤で指定した場合には、文字を認識することができなくなる。そこで、この様な場合に、文字に黒で輪郭を付して印刷することにより、文字の認識を可能としてもよい。
【００７９】
同様に、文字体として中抜き文字を指定している場合に、輪郭部分の色とラベルの色（下地の色）を共に赤で指定した場合には、輪郭を認識することができなくなる。影付文字の文字の部分の色又は影の部分の色とラベルの色を同一色に指定した場合も同様である。そこで、この様な場合に、文字の部分の色又は文字の輪郭部分の色とラベルの色の少なくとも一方を、使用者が指定した色と異なる色とすることにより、文字等を明確に印刷してもよい。
【００８０】
このような処理を行うためには、例えば、図１３に示すように印刷時に印刷対象データを読み出し（ステップＴ１）、文字体をチェックし（ステップＴ２）、標準文字であれば、文字の色とラベルの色が同一であるか否かを判別する（ステップＴ３）。同一であれば、制御部１８は文字体を中抜き文字に変更し、その輪郭部分を指定した色の番号に例えば４を加算した値の色とし、中抜き部分を指定された色とする（ステップＴ４）。
また、文字体が中抜き文字であれば、輪郭部分の色とラベルテープの下地部分の色が同一であるか否かを判別する（ステップＴ５）。同一であれば、制御部１８は文字の輪郭部分の色又はラベルテープの色の番号に例えば４を加算し、印刷色を変更する（ステップＴ６）。
また、文字体が影付文字であれば、文字部分の色、影部分の色、ラベルテープの色の少なくとも２つが同一であるか否かを判別する（ステップＴ７）。同一であれば、制御部１８は、これらの色が互いに異なる色になるように、印刷色を変更する（ステップＴ８）。
【００８１】
この様にして文字体及び／又は印刷色を変更した後、指定された印刷色に従って印刷を行うことにより、適切な色配置のラベルテープを作成することができる。
同様の処理は、使用者が中抜き文字の輪郭と中抜き部分に同一の色を指定した場合等にも適用可能である。
また、任意のグラフ、図形等を描く場合に、同一色の領域が隣接して、領域が識別できなくなるような場合に、境界部分に境界線を描いたり、一方の領域の色を変更して領域を明確化する場合等にも適用できる。
【００８２】
第１及び第２の実施の形態では、この発明をラベルを作成するラベル印刷装置に適用した例について説明した。しかし、この発明はこれらに限定されるものではなく、多色印刷用と単色印刷用のインクテープ、インクカートリッジ等を適宜取り替えて使用できる印刷装置、文書作成装置等に広く適用可能である。
【図面の簡単な説明】
【００８３】
【図１】この発明にかかる印刷装置の構成を示すブロック図である。
【図２】この発明の実施の形態で使用される文字体を示す図であり、（Ａ）は標準文字を示す図、（Ｂ）は中抜きの文字体を示す図、（Ｃ）は中抜きで且つ影付きの文字体を示す図である。
【図３】（Ａ）は印刷装置に装着されるテープカートリッジの内部構造を示す図である。（Ｂ）はカラー印刷用のインクテープの構成を示す図である。
【図４】テープカートリッジがカートリッジ装着部に装着された状態を示す図であり、（Ａ）はモノクロ印刷用のテープカートリッジが装着された状態を示す図、（Ｂ）はカラー印刷用のテープカートリッジが装着された状態を示す図である。
【図５】テープカートリッジの種類の判別方法を示す図であり、（Ａ）はモノクロ印刷用のテープカートリッジを示し、（Ｂ）はカラー印刷用のテープカートリッジを示し、（Ｃ）はテープカートリッジが未装着の場合を示す。
【図６】印刷に使用する色（印刷色）を説明する図である。
【図７】印刷色それぞれに付された番号の例を示す図である。
【図８】この発明の第１の実施の形態の文字入力動作を示すフローチャートである。
【図９】この発明の第１の実施の形態の印刷動作を示すフローチャートである。
【図１０】第１の実施の形態のラベル印刷装置により作成されたラベルテープの例を示す図であり、（Ａ）は標準文字、（Ｂ）は中抜き文字、（Ｃ）は影付文字をそれぞれカラー印刷した例である。
【図１１】この発明の第２実施の形態の印刷動作を示すフローチャートである。
【図１２】第２実施の形態のラベル印刷装置により作成されたラベルテープの例を示す図であり、（Ａ）は標準文字、（Ｂ）は中抜き文字、（Ｃ）は影付文字をそれぞれカラー印刷した例である。
【図１３】この発明の応用例の動作を示すフローチャートである。
【符号の説明】
【００８４】
１１…キー入力部
１１ａ…文字キー
１１ｂ…文字体指定キー
１１ｃ…印刷キー
１１ｄ…印刷色指定キー
１２…カートリッジ判別部
１３…データ記憶部
１４…表示制御部
１５…表示部
１６…印刷制御部
１６ａ…印刷パターンメモリ
１７…印刷部
１８…制御部
３１…テープカートリッジ
３１Ｍ…モノクロ印刷用テープカートリッジ
３１Ｃ…カラー印刷用テープカートリッジ
３２…ラベルテープ
３３…インクテープ
３４…窪み部
４１…カートリッジ装着部
４２…蓋
４３…バネ
【図１】
2004195988.tif 000003
【図２】
2004195988.tif 000004
【図３】
2004195988.tif 000005
【図４】
2004195988.tif 000006
【図５】
2004195988.tif 000007
【図６】
2004195988.tif 000008
【図７】
2004195988.tif 000009
【図８】
2004195988.tif 000010
【図９】
2004195988.tif 000011
【図１０】
2004195988.tif 000012
【図１１】
2004195988.tif 000013
【図１２】
2004195988.tif 000014
【図１３】
2004195988.tif 000015